【手続補正書】
【提出日】平成17年5月12日(2005.5.12)
【手続補正１】
【補正対象書類名】明細書
【補正対象項目名】特許請求の範囲
【補正方法】変更
【補正の内容】
【特許請求の範囲】
【請求項１】
透明合成樹脂から成る円板状の二枚のディスク基板と、
各ディスク基板の少なくとも一面に形成され、一方が半透過性の反射膜で他方が反射膜でなる少なくとも一層の情報記録層と、
各ディスク基板の上記一面が、光ディスクの記録及び／または再生のために照射される光ビームの入射側と反対側に位置するように、且つ上記半透過性の反射膜が上記入射側になるように、各ディスク基板を貼り合わせる透明接着層と
を含んでいる光ディスクであって、
上記光ビームの入射側に位置する第一のディスク基板の情報記録層が、他方の第二のディスク基板の情報記録層に比較して高密度であって、
上記第一のディスク基板の情報記録層（高密度記録層）が、λ≦４６０ｎｍで且つＮ．Ａ．≧０．６の光学パラメータで記録及び／または再生されると共に、
上記第二のディスク基板の情報記録層（低密度記録層）が、７７０ｎｍ≦λ≦８３０ｎｍで且つＮ．Ａ．＝０．４５プラスマイナス０．０５の光学パラメータで記録及び／または再生されることを特徴とする、光ディスク。
【請求項２】
上記高密度記録層が、０．３０μｍ≦トラックピッチ≦０．７０μｍで且つ０．１５μｍ≦最短ピット長≦０．４０μｍのピットパラメータであって、
上記低密度記録層が、１．４０μｍ≦トラックピッチ≦１．７０μｍで且つ０．８０μｍ≦最短ピット長≦１．０μｍのピットパラメータである、
ことを特徴とする、請求項１に記載の光ディスク。
【請求項３】
上記高密度記録層の上に、３８０ｎｍ≦λ≦４６０ｎｍにおける反射率が１０％以上で、且つ７７０ｎｍ≦λ≦８３０ｎｍにおける透過率が４０％以上である半透明膜が形成されていることを特徴とする、請求項１に記載の光ディスク。
【請求項４】
上記半透明膜が、Ｓｉ化合物から構成されていることを特徴とする、請求項３に記載の光ディスク。
【請求項５】
光ビームを出射する光源と、
上記光源から出射された光ビームを光ディスクの信号記録面上に集束させる光集束手段と、
上記光ディスクの信号記録面からの戻り光ビームを受光する受光部を有する光検出器と
を含んでおり、
上記光ディスクが、
透明合成樹脂から成る円板状の二枚のディスク基板と、
各ディスク基板の少なくとも一面に形成され、一方が半透過性の反射膜で他方が反射膜でなる少なくとも一層の情報記録層と、
各ディスク基板の上記一面が、光ディスクの記録及び／または再生のために照射される光ビームの入射側と反対側に位置するように、且つ上記半透過性の反射膜が上記入射側になるように、各ディスク基板を貼り合わせる透明接着層と
を含んでいる光ディスクであって、
上記光ビームの入射側に位置する第一のディスク基板の情報記録層が、他方の第二のディスク基板の情報記録層に比較して高密度であって、
上記光源からの光ビームが、上記第一のディスク基板の情報記録層（高密度記録層）に対して、λ≦４６０ｎｍで且つＮ．Ａ．≧０．６の光学パラメータで照射され、
上記光源からの光ビームが、上記第二のディスク基板の情報記録層（低密度記録層）に対して、７７０ｎｍ≦λ≦８３０ｎｍで且つＮ．Ａ．＝０．４５プラスマイナス０．０５の光学パラメータで照射される構成とした
ことを特徴とする、光学ピックアップ。
【請求項６】
光源から出射した光ビームを、光ディスクの信号記録面上に集束する光集束手段と、
光ディスクの信号記録面からの戻り光ビームを受光する受光部を有する光検出手段と、
上記光集束手段を移動させる駆動手段と、
上記光検出手段の受光部からの信号に基づいて、サーボ信号を得る演算部と、
上記サーボ信号を上記駆動手段に供給するサーボ手段と
を含んでいる光ディスク装置であって、
上記光ディスクが、
透明合成樹脂から成る円板状の二枚のディスク基板と、
各ディスク基板の少なくとも一面に形成され、一方が半透過性の反射膜で他方が反射膜でなる少なくとも一層の情報記録層と、
各ディスク基板の上記一面が、光ディスクの記録及び／または再生のために照射される光ビームの入射側と反対側に位置するように、且つ上記半透過性の反射膜が上記入射側になるように、各ディスク基板を貼り合わせる透明接着層と
を含んでいる光ディスクであって、
上記光ビームの入射側に位置する第一のディスク基板の情報記録層が、他方の第二のディスク基板の情報記録層に比較して高密度であって、
上記光源からの光ビームが、上記第一のディスク基板の情報記録層（高密度記録層）に対して、λ≦４６０ｎｍで且つＮ．Ａ．≧０．６の光学パラメータで照射され、
上記光源からの光ビームが、上記第二のディスク基板の情報記録層（低密度記録層）に対して、７７０ｎｍ≦λ≦８３０ｎｍで且つＮ．Ａ．＝０．４５プラスマイナス０．０５の光学パラメータで照射される構成とした
ことを特徴とする光ディスク装置。
【請求項７】
透明合成樹脂から成る円板状の二枚のディスク基板と、
光ディスクの記録及び／または再生のために照射される光ビームの入射側に位置する第一のディスク基板の出射側の一面及び他方の第二のディスク基板の両面に形成された少なくとも一層の情報記録層と、
各ディスク基板を貼り合わせる透明接着層と
を含んでいる、光ディスクであって、
上記第一のディスク基板の上記一面及び第二のディスク基板の光ビーム入射側の一面に形成された各情報記録層には半透過性の反射膜が、上記第二のディスク基板の光ビーム入射面と反対側に位置する情報記録層には反射膜が設けられており、
上記第一のディスク基板の情報記録層が、他方の第二のディスク基板の情報記録層に比較して高密度であって、
上記第一のディスク基板の第一の情報記録層（高密度記録層）が、λ≦４６０ｎｍで且つＮ．Ａ．≧０．６の光学パラメータで記録及び／または再生されると共に、
上記第二のディスク基板の入射側の第二の情報記録層（中密度記録層）が、６１５ｎｍ≦λ≦６５５ｎｍで且つＮ．Ａ．＝０．６プラスマイナス０．０５の光学パラメータで記録及び／または再生され、
さらに、上記第二のディスク基板の入射面と反対側の第三の情報記録層（低密度記録層）が、７７０ｎｍ≦λ≦８３０ｎｍで且つＮ．Ａ．＝０．４５プラスマイナス０．０５の光学パラメータで記録及び／または再生されることを特徴とする、光ディスク。
【請求項８】
上記透明接着層が、１０乃至１００μｍの厚さであることを特徴とする、請求項７に記載の光ディスク。
【請求項９】
上記第二の情報記録層が、λ≦４６０ｎｍで且つＮ．Ａ．≧０．６の光学パラメータ、または６１５ｎｍ≦λ≦６５５ｎｍで且つＮ．Ａ．＝０．６プラスマイナス０．０５の光学パラメータで記録及び／または再生される、ことを特徴とする、請求項７に記載の光ディスク。
【請求項１０】
上記第三の情報記録層が、λ≦４６０ｎｍで且つＮ．Ａ．≧０．６の光学パラメータ、または６１５ｎｍ≦λ≦６５５ｎｍで且つＮ．Ａ．＝０．６プラスマイナス０．０５の光学パラメータ、あるいは７７０ｎｍ≦λ≦８３０ｎｍで且つＮ．Ａ．＝０．４５プラスマイナス０．０５の光学パラメータで記録及び／または再生される、ことを特徴とする、請求項９に記載の光ディスク。
【請求項１１】
上記第一の情報記録層が、０．３０μｍ≦トラックピッチ≦０．７０μｍで且つ０．１５μｍ≦最短ピット長≦０．４０μｍのピットパラメータであって、
上記第二の情報記録層が、０．７０μｍ≦トラックピッチ≦０．８０μｍで且つ０．４０μｍ≦最短ピット長≦０．４５μｍのピットパラメータであり、
上記第三の情報記録層が、１．４０μｍ≦トラックピッチ≦１．７０μｍで且つ０．８０μｍ≦最短ピット長≦１．０μｍのピットパラメータである、
ことを特徴とする、請求項７に記載の光ディスク。
【請求項１２】
上記第一の情報記録層の上に、３８０ｎｍ≦λ≦４６０ｎｍにおける反射率が４０％以上で、且つ７７０ｎｍ≦λ≦８３０ｎｍにおける透過率が６０％以上である半透明膜が形成されており、
上記第二の情報記録層の上に、６１５ｎｍ≦λ≦８３０ｎｍにおける反射率が２０％以上で、且つ７７０ｎｍ≦λ≦８３０ｎｍにおける透過率が６０％以上である半透明膜が形成されていると共に、
上記第三の情報記録層の上に、７７０ｎｍ≦λ≦８３０ｎｍにおける反射率が６０％以上である反射膜が形成されていることを特徴とする、請求項１に記載の光ディスク。
【請求項１３】
上記半透明膜が、Ｓｉ化合物から構成されていることを特徴とする、請求項１２に記載の光ディスク。
【請求項１４】
光ビームを出射する光源と、
上記光源から出射された光ビームを光ディスクの信号記録面上に集束させる光集束手段と、
上記光ディスクの信号記録面からの戻り光ビームを受光する受光部を有する光検出器と
を含んでおり、
上記光ディスクが、
透明合成樹脂から成る円板状の二枚のディスク基板と、
光ディスクの記録及び／または再生のために照射される光ビームの入射側に位置する第一のディスク基板の出射側の一面及び他方の第二のディスク基板の両面に形成された少なくとも一層の情報記録層と、
各ディスク基板を貼り合わせる透明接着層と
を含んでいる、光ディスクであって、
上記第一のディスク基板の上記一面及び第二のディスク基板の光ビーム入射側の一面に形成された各情報記録層には半透過性の反射膜が、上記第二のディスク基板の入射面と反対側に位置する情報記録層には反射膜が設けられており、
上記第一のディスク基板の情報記録層が、他方の第二のディスク基板の情報記録層に比較して高密度であって、
上記光源からの光ビームが、上記第一のディスク基板の第一の情報記録層（高密度記録層）に対して、λ≦４６０ｎｍで且つＮ．Ａ．≧０．６の光学パラメータで照射され、
上記光源からの光ビームが、上記第二のディスク基板の入射側の第二の情報記録層（中密度記録層）に対して、６１５ｎｍ≦λ≦６５５ｎｍで且つＮ．Ａ．＝０．６プラスマイナス０．０５の光学パラメータで照射され、
さらに、光ビームが、上記第二のディスク基板の入射面と反対側の第三の情報記録層（低密度記録層）に対して、７７０ｎｍ≦λ≦８３０ｎｍで且つＮ．Ａ．＝０．４５プラスマイナス０．０５の光学パラメータで照射される構成とした
ことを特徴とする、光学ピックアップ。
【請求項１５】
光源から出射した光ビームを、光ディスクの信号記録面上に集束する光集束手段と、
光ディスクの信号記録面からの戻り光ビームを受光する受光部を有する光検出手段と、
上記光集束手段を移動させる駆動手段と、
上記光検出手段の受光部からの信号に基づいて、サーボ信号を得る演算部と、
上記サーボ信号を上記駆動手段に供給するサーボ手段と
を含んでいる光ディスク装置であって、
上記光ディスクが、
透明合成樹脂から成る円板状の二枚のディスク基板と、
光ディスクの記録及び／または再生のために照射される光ビームの入射側に位置する第一のディスク基板の出射側の一面及び他方の第二のディスク基板の両面に形成された少なくとも一層の情報記録層と、
各ディスク基板を貼り合わせる透明接着層と
を含んでいる、光ディスクであって、
上記第一のディスク基板の上記一面及び第二のディスク基板の光ビーム入射側の一面に形成された各情報記録層には半透過性の反射膜が、上記第二のディスク基板の入射面と反対側に位置する情報記録層には反射膜が設けられており、
上記第一のディスク基板の情報記録層が、他方の第二のディスク基板の情報記録層に比較して高密度であって、
上記光源からの光ビームが、上記第一のディスク基板の第一の情報記録層（高密度記録層）に対して、λ≦４６０ｎｍで且つＮ．Ａ．≧０．６の光学パラメータで照射され、
上記光源からの光ビームが、上記第二のディスク基板の入射側の第二の情報記録層（中密度記録層）に対して、６１５ｎｍ≦λ≦６５５ｎｍで且つＮ．Ａ．＝０．６プラスマイナス０．０５の光学パラメータで照射され、
さらに、光ビームが、上記第二のディスク基板の入射面と反対側の第三の情報記録層（低密度記録層）に対して、７７０ｎｍ≦λ≦８３０ｎｍで且つＮ．Ａ．＝０．４５プラスマイナス０．０５の光学パラメータで照射される構成とした
ことを特徴とする、光ディスク装置。
【請求項１６】
基板厚みが０．６ｍｍであり、貼り合わせ後のディスクの全厚が１．２ｍｍであることを特徴とする請求項１に記載の光ディスク。
【請求項１７】
基板厚みが０．６ｍｍであり、貼り合わせ後のディスクの全厚が１．２ｍｍであることを特徴とする請求項７に記載の光ディスク。